(57)【要約】【課題】コンクリート供試体に関する様々なデータが容易に管理可能となると共に、データを記憶させる無線ＩＣタグ（記憶媒体）の繰り返し使用が可能なコンクリート供試体用タグを提供すること。【解決手段】コンクリート供試体の管理情報を記録する無線ＩＣタグと、前記無線ＩＣタグが封入されたタグ封入袋と、を備えるコンクリート供試体用タグであって、前記タグ封入袋は、前記無線ＩＣタグを封入するタグ封入部と、前記コンクリート供試体に埋設される埋設部と、を備え、前記タグ封入部は、袋状に形成されると共に、前記無線ＩＣタグを取り出し可能に構成される。【選択図】図１
2010054448.tif 000002
【特許請求の範囲】
【請求項１】
コンクリート供試体の管理情報を記録する無線ＩＣタグと、
前記無線ＩＣタグが封入されたタグ封入袋と、を備えるコンクリート供試体用タグであって、
前記タグ封入袋は、前記無線ＩＣタグを封入するタグ封入部と、前記コンクリート供試体に埋設される埋設部と、を備え、
前記タグ封入部は、袋状に形成されると共に、前記無線ＩＣタグを取り出し可能に構成されるコンクリート供試体用タグ。
【請求項２】
前記タグ封入部には所定の切り離し可能部が形成されており、
前記無線ＩＣタグは、前記切り離し可能部において前記タグ封入部の少なくとも一部を切り離すことにより取り出される請求項１に記載のコンクリート供試体用タグ。
【請求項３】
前記切り離し可能部は、前記タグ封入部の一部をミシン目状に裁断することにより形成される請求項２に記載のコンクリート供試体用タグ。
【発明の詳細な説明】
【技術分野】
【０００１】
本発明は、コンクリート供試体の識別情報が記録される無線ＩＣタグが封入されたコンクリート供試体用タグに関する。
【背景技術】
【０００２】
従来より、建築材料として広く使用されているコンクリートは、建物や橋等の建造等に用いられる場合、当該コンクリートの品質を確認するために、使用されるコンクリートと同一のコンクリートを用いてコンクリート供試体を製作し、所定の規格に基づいた圧縮強度試験が行われる。
【０００３】
圧縮強度試験は、一般に所定の検査機関により行われ、検査機関は、持ち込まれたコンクリート供試体に基づいて検査を行う。この圧縮強度試験によって、コンクリートが所定の強度を満たしているか否かが確認される。したがって、製作された供試体が他の供試体と誤認されると正確に品質を確認できないという問題があった。例えば、粗悪なコンクリートを使用したにも拘わらず、検査を合格させる目的で別の供試体で試験する等の不正が生じるおそれがあった。
【０００４】
上記のような誤認防止のためには、例えば、コンクリート供試体の製作時に所定の印を付し、その印を検査機関において確認することにより現場で製作された供試体と同一であることを認識することが可能であるが、コンクリート供試体は、枠体にコンクリートを流し込んで製作されるため印を付し難いという問題があった。また、コンクリート供試体は、所定期間水中において養生されるため、付される印には耐水性も必要であった。
【０００５】
これに対し、コンクリート供試体としての必要事項を記憶させるメモリー機能と該事項の送受信制御機能を備えたＩＣチップを該ＩＣチップに電気的に接続されたアンテナ機能とコイル機能を備えたＩＣタグをコンクリート供試体に埋入した技術が開示されている（例えば、特許文献１参照）。
【特許文献１】特開２００５−１０１２８号公報
【発明の開示】
【発明が解決しようとする課題】
【０００６】
しかしながら、特許文献１に記載のコンクリート識別方法では、ＩＣチップを直接コンクリートの中に直接入れるため、ＩＣチップを繰り返し使うことができなかった。また、圧縮強度試験を行う場合、コンクリートの中にＩＣチップを直接入れると試験によりＩＣチップが破損する場合があった。さらに、ＩＣチップをコンクリートの中に直接入れると、ＩＣチップの種類や大きさによっては、ＩＣチップが埋入されることによりコンクリートの正確な強度を検査することができなくなるおそれがあった。
【０００７】
本発明は、上記課題に鑑みなされたものであって、コンクリート供試体に関する様々なデータが容易に管理可能となると共に、データを記憶させる無線ＩＣタグ（記憶媒体）の繰り返し使用が可能なコンクリート供試体用タグを提供することを目的とする。
【課題を解決するための手段】
【０００８】
本発明者らは、切り離し可能に形成されたタグ収容部に所定のデータを記録させる無線ＩＣタグを封入すると共に、タグ収容袋に設けられる埋設部をコンクリート供試体に埋設させることにより、正確且つ確実にコンクリート供試体を管理可能となると共に、無線ＩＣタグの繰り返し使用が可能となることを見出し、本発明を完成するに至った。具体的には、以下のようなコンクリート供試体用タグを提供することを目的とする。
【０００９】
（１）  コンクリート供試体の管理情報を記録する無線ＩＣタグと、前記無線ＩＣタグが封入されたタグ封入袋と、を備えるコンクリート供試体用タグであって、前記タグ封入袋は、前記無線ＩＣタグを封入するタグ封入部と、前記コンクリート供試体に埋設される埋設部と、を備え、前記タグ封入部は、袋状に形成されると共に、前記無線ＩＣタグを取り出し可能に構成されるコンクリート供試体用タグ。
【００１０】
（１）記載の発明によれば、コンクリート供試体用タグは、コンクリート供試体の管理情報を記録する無線ＩＣタグと、無線ＩＣタグが封入されたタグ封入袋と、を備える。このように、コンクリート供試体用タグは、無線ＩＣタグを備えることにより、例えば、建設現場或いは工場等において、若しくは建築物の補修工事等において、コンクリート供試体の製作時における情報を正確且つ容易に書き込むことが可能になる。なお、書き込まれる情報としては、製造時期、製造場所、製造業者、コンクリートの配合、混合比、設計情報、水分比等のそのコンクリート部材の仕様に関する情報を例示することができる。これにより、コンクリート供試体の誤認を未然に防止することが可能になると共に、様々なデータをも管理することが可能となる。
【００１１】
また、無線ＩＣタグを使用することにより、例えば、データ読み取り機能を備えたパソコンや携帯電話等のモバイルツールを使用することによりデータの読み取りが容易になり、容易且つ正確な管理が可能なる。例えば、書き込まれた記録の確認、追加情報の書き込み、追加書き込みの管理等が可能になる。
【００１２】
また、タグ封入袋は、無線ＩＣタグを封入するタグ封入部と、コンクリート供試体に埋設される埋設部と、を備え、タグ封入部は、無線ＩＣタグを取り出し可能に構成される。これにより、例えば、圧縮強度検査の直前に無線ＩＣタグを取り出しておくことが可能になり、取り出した無線ＩＣタグを繰り返し使用することが可能になる。また、合成樹脂フィルムによりタグ封入袋を形成した場合には、その柔軟性によりコンクリート供試体に埋設された場合においても圧縮強度試験への影響が減少すると共に、タグ封入袋を低コストで製造することが可能になる。
【００１３】
また、タグ封入部は、使用時においてもコンクリート供試体に埋設されず露出した状態に保たれるため、無線ＩＣタグの読み取り不良等を生じさせにくくなると共に、無線ＩＣタグの接触不良等の故障の早期発見が可能になる。
【００１４】
ここで、取り出し可能に構成されるとは、無線ＩＣタグがタグ収容部から取り出し可能であればよく、例えば、袋状のタグ封入部を切り離して無線ＩＣタグを取り出すほかに、タグ封入部が開封可能に接合されているものや、タグ封入部が開封可能なポケット状に形成されているものであってもよい。
【００１５】
（２）  前記タグ封入部には所定の切り離し可能部が形成されており、前記無線ＩＣタグは、前記切り離し可能部において前記タグ封入部の少なくとも一部を切り離すことにより取り出される（１）に記載のコンクリート供試体用タグ。
【００１６】
（２）記載の発明によれば、タグ封入部には、切り離し可能部が形成されている。このように、タグ封入部に切り離し可能部を設けることにより、例えば、無線ＩＣタグを容易に取り出すことが可能になる。
【００１７】
（３）  前記切り離し可能部は、前記タグ封入部の一部をミシン目状に裁断することにより形成される（２）に記載のコンクリート供試体用タグ。
【００１８】
（３）記載の発明によれば、切り離し可能部は、タグ封入部をミシン目状に裁断することにより形成される。このように、切り離し可能部にミシン目状の裁断部を形成することにより、切り離し可能部がより切り離しし易くなる。
【００１９】
（４）  前記切り離し可能部は、前記タグ封入部の一部を薄肉状にすることにより形成される（２）に記載のコンクリート供試体用タグ。
【００２０】
（４）記載の発明によれば、切り離し可能部は、タグ封入部を薄肉状にすることにより形成される。このように、切り離し可能部を薄肉状に形成することにより、切り離し可能部がより切り離しし易くなる。なお、切り離し可能部は、薄肉状に形成された切り離し可能部の両端部のいずれか一方側又は両方に切り込み部を形成するとさらに切り離し易くなり好ましい。
【００２１】
（５）  前記埋設部は、帯状に形成されており、前記埋設部の長手方向における縁端部には、前記埋設部を貫通する穴部が設けられており、前記穴部には、前記コンクリート供試体からの引き抜けを防止する引き抜き防止金具が挿通される（１）から（４）のいずれかに記載のコンクリート供試体用タグ。
【００２２】
（５）記載の発明によれば、帯状に形成された埋設部の端部には、引き抜き防止金具を挿通させるための穴部が設けられる。このように、埋設部の縁端部に穴部を設け、この穴部に引き抜け防止金具を挿通させることにより、コンクリート供試体用タグをコンクリート供試体に埋設させたときに、コンクリート供試体用タグが容易に引き抜けることを防止することが可能になる。
【００２３】
（６）  前記埋設部は、複数に分断された足部を備える（１）から（５）のいずれかに記載のコンクリート供試体用タグ。
【００２４】
（６）記載の発明によれば、埋設部は、複数に分断された足部を備える。このように、埋設部に複数に分断された足部を設けることにより、例えば、コンクリート供試体に埋設したときに、それぞれの足部がコンクリートと絡み合うため引き抜けに難くなる。なお、足部は、埋設部の全面に設けてもよく、その一部、例えば、先端に設ける構成としてもよい。
【発明の効果】
【００２５】
本発明によれば、コンクリート供試体に関する様々なデータが容易に管理可能となると共に、データを記憶させる無線ＩＣタグ（記憶媒体）の繰り返し使用が可能なコンクリート供試体用タグを提供することができる。
【発明を実施するための最良の形態】
【００２６】
以下、本発明の実施形態について図面を参照しながら説明する。なお、本発明の実施形態は、下記の実施例に何ら限定されることなく、本発明の技術的範囲は、これに限定されるものではない。
【００２７】
図１は、本発明の第１実施形態に係るコンクリート供試体用タグ１の外観斜視図である。図２は、前記第１実施形態に係るタグ封入袋２を示す外観斜視図である。図３は、前記第１実施形態に係る引き抜け防止金具４を示す正面図である。図４は、前記第１実施形態に係る引き抜け防止金具４に挿入棒７を装着した状態を示す図である。図５は、コンクリート供試体用タグ１からタグ封入部５を切り離して無線ＩＣタグ３を取り出す状態を示す図である。
【００２８】
［第１実施形態］
１．全体構成
図１に示すように、第１実施形態に係るコンクリート供試体用タグ１は、縦長に形成されたタグ封入袋２と、無線ＩＣタグ３と、引き抜き防止金具４と、を備える。タグ封入袋２は、矩形状のタグ封入部５と、帯状の埋設部６と、を備えており、無線ＩＣタグ３は、タグ封入部５に収容される。そして、タグ封入部５は、無線ＩＣタグ３を収容した後に閉封される。
【００２９】
１−１．タグ封入袋
図２に示すように、タグ封入袋２は、縦長状に形成されており、一方端側にタグ封入部５が設けられ、他方端側に埋設部６が設けられている。タグ封入袋２は、合成樹脂フィルムにより形成されており、タグ封入部５及び埋設部６のそれぞれの外形を形成する２枚のシート部材を重ね合わせ、タグ封入部５を構成する部分の周縁を熱溶着することにより形成される。これにより、タグ封入部５が袋状に形成されると共に、一対の埋設部６が形成される。
【００３０】
ここで、タグ封入袋２を形成する合成樹脂フイルムとしては、電気的絶縁性のある合成樹脂フィルムであって、ポリオレフィン系、ポリエステル系、ポリアクリル系、ポリビニルブチラール系、ポリアミド系、あるいは、それらの共重合体フイルムやそれらの積層体等を例示できる。なお、合成樹脂フィルムは、防湿性に優れたものが好ましく、防湿性に優れた合成樹脂フィルムとしては、延伸させたポリプロピレンフイルム、ポリエステルフイルムにポリ塩化ビニリデンコートしたものを例示することができる。
【００３１】
また、タグ封入部５の形成時における熱溶融による接合シール性（例えば、ヒートシール性）を考慮すると、例えば、ポリプロピレンフイルムやポリエステルフイルム等が好ましい。
【００３２】
さらに、内面と外面とに異なる合成樹脂フィルムを使用するもの（積層させたもの）を使用する場合においては、内面側にヒートシール性に優れるポリエチレンを配置し、そして外面側に防湿性及び酸素非透過性に優れるポリエチレンテレフタレートフイルムを配置するという組合せが好ましい。
【００３３】
１−１−１．タグ封入部
タグ封入部５は、扁平袋状に形成されており、無線ＩＣタグ３が封入される。具体的には、タグ封入部５は、矩形状に形成されたタグ封入部５の３方（両側及び下部）を熱溶着により接合することにより袋状に形成される。袋状に形成されたタグ封入部５は、無線ＩＣタグを収容後、一方（上部）側を熱溶着することにより密封される。
タグ封入部５の一方（上部）側は、埋設部６と連続しており、密封用に熱溶着された箇所に切り離し可能部５１が形成される。切り離し可能部５１は、その一部を裁断することにより構成されており、具体的には、裁断部がミシン目状に形成されている。つまり、切り離し可能部は、溶着部と裁断部とが連続するように構成されている。
【００３４】
なお、本実施形態においては、切り離し可能部５１は、溶着部と裁断部とが連続するミシン目状に形成したが、本発明においてはこれに限らない。例えば、切り離し可能部５１は、タグ封入部５の一部を薄肉状にすることにより形成してもよい。薄肉状にすることによりタグ封入部５の切り離しが容易になるためである。薄肉状に形成する方法としては、例えば、熱溶着するにより当該部分を薄肉状にしてもよく、例えば、延伸させることにより薄肉状にしてもよい。なお、切り離し可能部５１を薄肉状にする場合においては、両端の一方又は両方に切り込みを入れておくことが好ましい。
【００３５】
また、本実施形態においては、タグ封入部５を矩形状に形成したが、本発明においてはこれに限らない例えば、円形、三角形、多角形、星形等に形成してもよい。また、タグ封入部５の接合（シール）型としては、四角形の場合、三方シール（三方向をシールする）、二方シール、四方シールなどがあるが特に限定されるものではなくいずれを使用してもよい。
【００３６】
１−１−２．埋設部
埋設部６は、タグ封入部５と連続しており、帯状に形成されている。具体的には、タグ封入部５の扁平形状における一方側の面と連続する第１埋設部６３と、扁平形状における他方側の面と連続する第２埋設部６４と、を備える。第１埋設部６３及び第２埋設部６４には、縁端部に穴部６１が形成されており、後述の引き抜け防止金具４が挿通される。
【００３７】
穴部が形成される側と反対側の端部には、好適な埋設位置を示すバー６２が設けられている。使用者は、このバー６２を目安に埋設部６を埋設させることにより、好適に位置でコンクリート供試体用タグを保持させることが可能になる。
【００３８】
１−２．無線ＩＣタグ
無線ＩＣタグ３としては、電源回路、受信回路、発信回路、メモリ、対メモリ読み書き動作用のロジック回路などにより構成されるＩＣチップと、ＩＣチップに対して誘導電流（誘導電力）を発生するコイル状のアンテナ（例えば四角形スパイラルコイル状）とにより構成されるものが例示できる。
【００３９】
例えば、無線ＩＣタグ３は、アンテナが受信した電波の誘導電力によりＩＣチップの各回路が動作し、ロジック回路がアンテナが受信したデータをメモリに書き込み、記憶させる。また、ロジック回路は、データをメモリから読み出すこともできる。メモリは、特定の命令によりデータを消去可能であり、電力が無い状態でもデータをそのまま保存することができる。
【００４０】
なお、無線ＩＣタグ３は、合成樹脂フイルムにより形成されたタグ封入部５内に装填し易いように薄くて軽い絶縁性を有するプラスチック板（例えば厚み１００〜２００μのポリカーボネイト板）に固着して使用することが好ましい。
【００４１】
また、水中養生を考慮すると、プラスチック板に固着した後、さらに無線ＩＣタグ３の表面を合成樹脂等によりコーティングされたものが好ましい。
【００４２】
なお、本実施形態においては、無線ＩＣタグ３を情報記憶媒体として用いたが、本発明においてはこれに限らない。例えば、バーコード（１次元コード）やＱＲコード（登録商標：２次元コード）のようなコード情報を備える記録媒体を封入し、これらにより識別可能としてもよい。さらに、これらのコード情報をタグ封入部に印刷又は焼き付け等してもよい。
【００４３】
１−３．引き抜き防止金具
図３に示すように、引き抜き防止金具４は、凸状部４１と、一対の羽状部４２と、を備え、略Ω状に形成される。
【００４４】
引き抜き防止金具４は、コンクリート供試体用タグ１の穴部６１に挿通された状態でコンクリート供試体９に埋設されると、例えば、引き出し方向に引っ張られても、凸状部４１が穴部６１と係合すると共に、羽状部４２が引き出し方向に対する抵抗となることにより、コンクリート供試体９からの引き抜けが防止される。
【００４５】
なお、本実施形態においては、引き抜き防止金具４を略Ω状に形成したが、本発明においてはこれに限らない。例えば、少なくともコンクリート供試体９から引き出されるときの抵抗になりうる形状を有すればよい。例えば、羽状部４２を備えていればよい。
【００４６】
２．使用方法
次に、コンクリート供試体用タグ１の使用方法について説明する。
【００４７】
まず、コンクリート供試体９の製作方法について説明する。コンクリート供試体９は、上部が開放された略円筒状の供試体枠（図示せず）を用いて製作される。コンクリート供試体９は、この供試体枠の中に、工事等に使用するコンクリートと同一の生コンクリートを注入することにより製作される。供試体枠は、左右に２分割可能に形成されており、注入された生コンクリートが硬化した後、供試体枠を分割させることによりコンクリート供試体９が取り出し可能になる。
【００４８】
ここで、コンクリート供試体用タグ１を準備する。まず、使用者は、無線ＩＣタグ３にコンクリート供試体９の所望のデータを記録させる。例えば、無線電波でデータを送り、記録させる。なお、データの書き込みは、データの改ざんを防止するために、一回の書き込みのみが許容される方式のものが好ましい。また、複数回の書き込みを許容するものにおいては、途中経過における様々なデータも記録可能となる。
【００４９】
次に、コンクリート供試体用タグ１を生コンクリートが注入された供試体枠に挿入する。図４に示すように、コンクリート供試体用タグ１は、先端部７２が分離している挿入棒７を用いて生コンクリートが注入された供試体枠に挿入される。具体的には、コンクリート供試体用タグ１の引き抜き防止金具４の羽状部４２に挿入棒７の先端部７２を係合させた状態で供試体枠の中に押し込み、挿入させる。挿入は、埋設部６に設けられたバー６２の近傍まで行われる。
【００５０】
このように、挿入棒７の先端部７２と引き抜き防止金具４とを係合させた状態で生コンクリートの中に挿入させるため、例えば、タグ封入袋２が柔軟性を有する（例えば、材料の特性として柔軟性を有するものの他、厚さを薄くすることにより柔軟性を有するものも含む）合成樹脂で形成された場合においても、コンクリート供試体用タグ１の埋設部６を容易に挿入させることが可能になる。
【００５１】
また、埋設部６が柔軟性を有する材料から形成されている場合においては、内圧により応力を受け、コンクリート供試体の内部における専有面積も小さくなるため、圧縮強度試験に対する影響力を小さくすることができるため好ましい。
【００５２】
コンクリート供試体用タグ１を所定の位置（バー６２）まで挿入させたら、挿入棒７を引き抜き、さらに生コンクリートを注入すると共に、上部表面を整形する。このようにして製作されたコンクリート供試体９は、所定期間乾燥及び硬化させた後、供試体枠が外される。
【００５３】
供試体枠が外されたコンクリート供試体９は、乾燥、水中養生等、所定の規格に基づく期間の経過後、圧縮強化試験が行われる。
【００５４】
次に、圧縮強度試験時におけるコンクリート供試体９の識別方法について説明する。
【００５５】
まず、上記により製作されたコンクリート供試体９に埋設されているコンクリート供試体用タグ１のタグ封入部５を切り離し可能部５１において切り離し、無線ＩＣタグ３を取り出す（図５参照）。取り出された無線ＩＣタグ３は、非接触に配した無線ＩＣタグの読み取り装置を用いてデータが読みとられる。なお、無線ＩＣタグ３を取り出さずに読みとる場合においては、読み取り装置をタグ封入部５に近づけてデータを読みとる。また、読みとられたデータは、データ処理装置におけるディスプレイ画面により表示される。これにより、コンクリート供試体９を識別することができる。
【００５６】
このようにして識別されたコンクリート供試体９は、所定の試験器にセットされ、高圧を付されることにより圧縮強度試験が行われる。
【００５７】
［第２実施形態］
次に、本発明の第２実施形態に係るコンクリート供試体用タグ１Ａについて説明する。なお、以下の実施形他において、特に説明しない部分は、第１実施形態と同様であり、図面に付した番号も第１実施形態と同様である場合は、同じ番号を付している。
【００５８】
図６は、本発明の第２実施形態に係るコンクリート供試体用タグ１Ａの正面図である。図６に示すように、本発明の第２実施形態に係るコンクリート供試体用タグ１Ａは、埋設部６Ａが分断されており、埋設部６が複数の足部６５により構成されていることにおいて、第１実施形態と異なる。
【００５９】
このように、コンクリート供試体用タグ１Ａは、埋設部６に複数の足部６５を備えることにより、生コンクリートに埋入されると各足部６５が生コンクリートに絡まり、引き抜きを防止することが可能になる。
【００６０】
なお、本実施形態においては、足部６５は埋設部６を分断して形成したが本発明においてはこれに限らない。例えば、糸状、紐状の部材を埋設部６に接合させて形成してもよい。また、本実施形態においては、足部は埋設部の一部に形成したが本発明においてはこれに限らない。例えば、埋設部の全部に形成してもよい。
【図面の簡単な説明】
【００６１】
【図１】本発明の第１実施形態に係るコンクリート供試体用タグ１を示す外観斜視図である。
【図２】前記第１実施形態に係るタグ封入袋２を示す外観斜視図である。
【図３】前記第１実施形態に係る引き抜け防止金具４を示す正面図である。
【図４】前記第１実施形態に係る引き抜け防止金具４に挿入棒７を装着した状態を示す図である。
【図５】コンクリート供試体用タグ１からタグ封入部５を切り離して無線ＩＣタグ３を取り出す状態を示す図である。
【図６】本発明の第２実施形態に係るコンクリート供試体用タグ１Ａを示す外観斜視図である。
【符号の説明】
【００６２】
１、１Ａ    コンクリート供試体用タグ
２    タグ封入袋
３    無線ＩＣタグ
４    引き抜き防止金具
５    タグ封入部
６、６Ａ    埋設部
７    挿入棒
９    コンクリート供試体
５１    ミシン目（切り離し可能部）
【図１】
2010054448.tif 000003
【図２】
2010054448.tif 000004
【図３】
2010054448.tif 000005
【図４】
2010054448.tif 000006
【図５】
2010054448.tif 000007
【図６】
2010054448.tif 000008